(57)【特許請求の範囲】
【請求項１】
特定セルに在圏する移動局に対する呼受付制御方法であって、
第１無線制御装置が、コアネットワークから、該第１無線制御装置配下の第１セルに在圏する第１移動局に対する呼設定指示を受信する工程と、
前記呼設定指示に含まれる前記第１移動局のグループＩＤが、前記第１無線制御装置によって前記第１セルにおいて通信を許容する移動局のグループＩＤとして管理されていると判定された場合、該第１無線制御装置と前記第１セルを管理する第１無線基地局との間のアクセスリンクを設定し、該第１セルにおいて該第１無線基地局と前記第１移動局との間の第１無線リンクを設定する工程とを有することを特徴とする呼受付制御方法。
【請求項２】
前記第１移動局が、前記第１無線制御装置に対して、該第１無線制御装置配下の第２セルにおいて前記第１無線基地局と該第１移動局との間の第２無線リンクを設定するように要求する工程と、
前記第１移動局のグループＩＤが、前記第１無線制御装置によって前記第２セルにおいて通信を許容する移動局のグループＩＤとして管理されていると判定された場合、該第１無線制御装置が、前記第２無線リンクを設定する工程とを有することを特徴とする請求項１に記載の呼受付制御方法。
【請求項３】
前記第１移動局が、前記第１無線制御装置に対して、第２無線制御装置配下の第３セルにおいて第２無線基地局と該移動局との間の第３無線リンクを設定するように要求する工程と、
前記第１無線制御装置が、前記第２無線制御装置に対して、前記第１移動局のグループＩＤを通知する工程と、
通知された前記第１移動局のグループＩＤが、前記第２無線制御装置によって前記第３セルにおいて通信を許容する移動局のグループＩＤとして管理されていると判定された場合、該第２無線制御装置が、前記第３無線リンクを設定する工程とを有することを特徴とする請求項１に記載の呼受付制御方法。
【請求項４】
前記第１移動局のグループＩＤが、前記第１無線制御装置によって前記第３セルにおいて通信を許容する移動局のグループＩＤとして管理されていないと判定された場合、該第１無線制御装置が、前記第２無線制御装置に対して、その旨を通知することを特徴とする請求項３に記載の呼受付制御方法。
【請求項５】
前記第１移動局のグループＩＤが、前記第１無線制御装置によって前記第３セルにおいて通信を許容しない移動局のグループＩＤとして管理されていると判定された場合、該第１無線制御装置が、前記第１移動局から受信した前記第３無線リンクの設定要求を廃棄することを特徴とする請求項３に記載の呼受付制御方法。
【請求項６】
特定セルに在圏する移動局に対する呼受付制御方法で用いられる無線制御装置であって、
前記無線制御装置配下のセル毎に、通信を許容する移動局のグループＩＤを管理するように構成されている通信許容グループリスト管理部と、
コアネットワークから、前記無線制御装置配下の第１セルに在圏する第１移動局に対する呼設定指示を受信するように構成されている呼設定指示受信部と、
前記呼設定指示に含まれる前記第１移動局のグループＩＤが、前記通信許容グループリスト管理部によって前記第１セルにおいて通信を許容する移動局のグループＩＤとして管理されていると判定された場合、該無線制御装置と該第１セルを管理する第１無線基地局との間のアクセスリンクを設定し、該第１セルにおいて該第１無線基地局と該第１移動局との間の第１無線リンクを設定するように構成されているリンク設定部とを具備することを特徴とする無線制御装置。
【請求項７】
前記第１移動局が、前記無線制御装置に対して、該無線制御装置配下の第２セルにおいて前記第１無線基地局と該第１移動局との間の第２無線リンクを設定するように要求した場合で、かつ、前記第１移動局のグループＩＤが、前記通信許容グループリスト管理部によって前記第２セルにおいて通信を許容する移動局のグループＩＤとして管理されていると判定された場合、前記リンク設定部は、前記第２無線リンクを追加するように構成されていることを特徴とする請求項６に記載の無線制御装置。
【請求項８】
他の無線制御装置配下のセル毎に、通信を許容しない移動局のグループＩＤを管理するように構成されている通信非許容グループリスト管理部と、
前記第１移動局が、前記無線制御装置に対して、前記他の無線制御装置配下の第３セルと該第１移動局との間の第３無線リンクを設定するように要求した場合に、前記他の無線制御装置に対して、前記第１移動局のグループＩＤを通知するように構成されている通知部とを具備することを特徴とする請求項６に記載の無線制御装置。
【請求項９】
前記通信非許容グループリスト管理部は、前記通信を許容しない移動局のグループＩＤの中から、管理を開始してから所定時間が経過したグループＩＤを消去するように構成されていることを特徴とする請求項８に記載の無線制御装置。
【発明の詳細な説明】
【技術分野】
【０００１】
本発明は、特定セルに在圏する移動局に対する呼受付制御方法及び無線制御装置に関する。
【背景技術】
【０００２】
近年、３ＧＰＰ（３ｒｄ  Ｇｅｎｅｒａｔｉｏｎ  Ｐａｒｔｎｅｒｓｈｉｐ  Ｐｒｏｊｅｃｔ）により、符号分割多元接続（ＣＤＭＡ：Ｃｏｄｅ  Ｄｉｖｉｓｉｏｎ  Ｍｕｌｔｉｐｌｅ  Ａｃｃｅｓｓ）技術に基づいた「Ｗ-ＣＤＭＡ（Ｗｉｄｅｂａｎｄ-Ｃｏｄｅ  Ｄｉｖｉｓｉｏｎ  Ｍｕｌｔｉｐｌｅ  Ａｃｃｅｓｓ）」と呼ばれる移動通信システムが提案され、非特許文献１において仕様化されている。
【０００３】
図１４は、かかるＷ-ＣＤＭＡ用の移動通信システムの代表的な構成例である。図１４に示すように、かかる移動通信システムは、無線通信機能を備えた移動局（ＵＥ：Ｕｓｅｒ  Ｅｑｕｉｐｍｅｎｔ）との間で無線通信を行う無線通信機能を備えた無線基地局（ＮｏｄｅＢ）と、当該無線基地局に接続され無線制御動作を行う無線制御装置（ＲＮＣ：Ｒａｄｉｏ  Ｎｅｔｗｏｒｋ  Ｃｏｎｔｒｏｌｌｅｒ）と、当該無線制御装置に接続され交換動作を行う交換局（ＭＭＳ：Ｍｕｌｔｉｍｅｄｉａ  Ｍｅｓｓａｇｉｎｇ  Ｓｅｒｖｉｃｅ）とによって構成されている。
【０００４】
かかる移動通信システムでは、図１４に示すように、上述の無線基地局と無線制御装置と交換局とによって、移動局０１と移動局０２との間の通信を実現している。
【０００５】
ここで、無線基地局と無線制御装置とを含むネットワークを「無線アクセスネットワーク（ＲＡＮ：「Ｒａｄｉｏ  Ａｃｃｅｓｓ  Ｎｅｔｗｏｒｋ」）と呼び、交換局を含むネットワークを「コアネットワーク（ＣＮ：「Ｃｏｒｅ  Ｎｅｔｗｏｒｋ」）と呼ぶ。
【０００６】
なお、コアネットワークには、交換局以外の装置も含まれるが、本明細書では、本発明の説明に必要がないため、記載を省略する。
【０００７】
図１４に示す移動通信システムでは、無線基地局０１が、セル０１及びセル０２を構成しており、無線基地局０２が、セル０３及びセル０４を構成しており、無線基地局０３が、セル０５及びセル０６を構成している。
【０００８】
ここで、無線基地局は、複数のセルを構成しており、移動局が、セルを跨って移動した場合には、無線リンクを切り替えることで、当該移動局の通信を継続することができる。
【０００９】
なお、上述の無線リンクの切り替えによるセルを跨った移動制御処理や、無線リンクの割り当て制御処理を行うのは、無線制御装置である。
【００１０】
ここで、図１５を参照して、図１４に示す移動通信システムにおいて、移動局０２から移動局０１に対する発呼によって行われる移動局０１と無線制御装置０１との間の呼設定手順について説明する。
【００１１】
図１５に示すように、ステップＳ１４０１において、交換局０１は、無線制御装置０１に対して、ＲＡＮＡＰ信号（Ｒａｄｉｏ  Ａｃｃｅｓｓ  Ｎｅｔｗｏｒｋ  Ａｐｐｌｉｃａｔｉｏｎ  Ｐａｒｔ）上の「ＲＡＢ  Ａｓｓｉｇｎｍｅｎｔ  Ｒｅｑｕｅｓｔメッセージ」によって、セル０１に在圏する移動局０１に対する呼設定指示を通知する。
【００１２】
ステップＳ１４０２において、無線制御装置０１は、無線基地局０１に対して、ＮＢＡＰ（ＮｏｄｅＢ  Ａｐｐｌｉｃａｔｉｏｎ  Ｐａｒｔ）信号上の「Ｒａｄｉｏ  Ｌｉｎｋ  Ｓｅｔｕｐ  Ｒｅｑｕｅｓｔメッセージ」を送信する。
【００１３】
無線基地局０１は、ステップＳ１４０３において、セル０１から、移動局０１宛てのユーザデータを送信するように設定し、ステップＳ１４０４において、無線制御装置０１に対して、ＮＢＡＰ信号上の「Ｒａｄｉｏ  Ｌｉｎｋ  Ｓｅｔｕｐ  Ｒｅｓｐｏｎｓｅメッセージ」を送信する。
【００１４】
ステップＳ１４０５において、無線制御装置０１は、移動局０１に対して、ＲＲＣ（Ｒａｄｉｏ  Ｒｅｓｏｕｒｃｅ  Ｃｏｎｔｒｏｌ）信号上の「Ｒａｄｉｏ  Ｂｅａｒｅｒ  Ｓｅｔｕｐメッセージ」を送信する。
【００１５】
移動局０１は、ステップＳ１４０６において、セル０１から送信されるユーザデータを受信するように設定し、ステップＳ１４０７において、無線制御装置０１に対して、ＲＲＣ信号上の「Ｒａｄｉｏ  Ｂｅａｒｅｒ  Ｓｅｔｕｐ  Ｃｏｍｐｌｅｔｅメッセージ」を送信する。
【００１６】
無線制御装置０１は、ステップＳ１４０８において、移動局０１との間の無線アクセスベアラの設定が正常に完了したか否かについて判定し、正常に完了したと判定した場合、ステップＳ１４０９において、交換局０１に対して、ＲＡＮＡＰ信号上の「ＲＡＢ  Ａｓｓｉｇｎｍｅｎｔ  Ｒｅｓｐｏｎｓｅメッセージ」によって、その旨を通知する。
【００１７】
同様に、移動局０２も、呼設定処理を行い、ユーザデータは、移動局０１→無線基地局０１→無線制御装置０１→交換局０１→無線制御装置０２→無線基地局０２→移動局０２の順で、或いは、その反対の順で、転送される。
【００１８】
また、非特許文献１で仕様化されている図１４に示す移動通信システムにおける交換局と無線制御装置との間の信号の送受信処理は、非特許文献２において規定されている。
【００１９】
ここで、非特許文献２において、交換局と無線制御装置との間で、移動局の位置情報として「ＳＡＩ（Ｓｅｒｖｉｃｅ  Ａｒｅａ  Ｉｄｅｎｔｉｔｙ）」が交換されることが規定されている。
【００２０】
そのため、交換局は、かかるＳＡＩと、当該交換局によって登録されている加入者情報（登録情報）とを組み合わせて判定することによって、サービスエリア（例えば、セル）毎に、通話料や通信料を可変とする課金制御処理を行うことができる。
【００２１】
図１６乃至図１９に示すように、非特許文献２では、４パターンの課金制御処理について規定されている。いずれのパターンにおいても、無線制御装置０１が、交換局０１に対して、ＲＡＮＡＰ信号によって、ＳＡＩを通知するように構成されている。
【００２２】
図１６の例では、交換局０１からの要求によって、無線制御装置０１が、交換局０１に対して、ＳＡＩを通知しており、図１７乃至図１９の例では、交換局０１からの要求によらず、無線制御装置０１が、交換局０１に対して、ＳＡＩを通知している。
【００２３】
また、特許文献１には、図１４に示す移動通信システムにおいて、無線制御装置０１が、該無線制御装置０１配下のセル単位で通信を許容する移動局の識別情報（登録情報）を予め登録しておき、呼設定指示に応じて、保持している登録情報を参照して、特定セルに在圏する特定の移動局に対して通信を許容するか否かについて判定する技術について開示されている。
【非特許文献１】３ＧＰＰ技術仕様書  ＴＳ２１.１０１
【非特許文献２】３ＧＰＰ技術仕様書  ＴＲ２５.４１３
【発明の開示】
【発明が解決しようとする課題】
【００２４】
しかしながら、従来の非特許文献２及び特許文献１に開示されている移動通信システムでは、交換局又は無線制御装置が、移動局単位で、課金制御処理及び呼設定指示受付処理を行うように構成されているため、当該移動通信システムに加入している移動局が増えたり減ったりする度に、交換局又は無線制御装置において登録されている登録情報を変更しなければならないという問題点があった。
【００２５】
そこで、本発明は、上述の課題に鑑みてなされたものであり、セル毎に、特定の移動局に対して通信を許容するか否かについて判定する移動通信システムにおいて、保守性の向上及び管理コストの低減を実現することができる呼受付制御方法及び無線制御装置を提供することを目的とする。
【課題を解決するための手段】
【００２６】
本発明の第１の特徴は、特定セルに在圏する移動局に対する呼受付制御方法であって、第１無線制御装置が、コアネットワークから、該第１無線制御装置配下の第１セルに在圏する第１移動局に対する呼設定指示を受信する工程と、前記呼設定指示に含まれる前記第１移動局のグループＩＤが、前記第１無線制御装置によって前記第１セルにおいて通信を許容する移動局のグループＩＤとして管理されていると判定された場合、該第１無線制御装置と前記第１セルを管理する第１無線基地局との間のアクセスリンクを設定し、該第１セルにおいて該第１無線基地局と前記第１移動局との間の第１無線リンクを設定する工程とを有することを要旨とする。
【００２７】
本発明の第１の特徴において、前記第１移動局が、前記第１無線制御装置に対して、該第１無線制御装置配下の第２セルにおいて該第１無線基地局と該第１移動局との間の第２無線リンクを設定するように要求する工程と、前記第１移動局のグループＩＤが、前記第１無線制御装置によって前記第２セルにおいて通信を許容する移動局のグループＩＤとして管理されていると判定された場合、該第１無線制御装置が、前記第２無線リンクを設定する工程とを有してもよい。
【００２８】
本発明の第１の特徴において、前記第１移動局が、前記第１無線制御装置に対して、第２無線制御装置配下の第３セルにおいて第２無線基地局と該移動局との間の第３無線リンクを設定するように要求する工程と、前記第１無線制御装置が、前記第２無線制御装置に対して、前記第１移動局のグループＩＤを通知する工程と、通知された前記第１移動局のグループＩＤが、前記第２無線制御装置によって前記第３セルにおいて通信を許容する移動局のグループＩＤとして管理されていると判定された場合、該第２無線制御装置が、前記第３無線リンクを設定する工程とを有してもよい。
【００２９】
本発明の第１の特徴において、前記第１移動局のグループＩＤが、前記第１無線制御装置によって前記第３セルにおいて通信を許容する移動局のグループＩＤとして管理されていないと判定された場合、該第１無線制御装置が、前記第２無線制御装置に対して、その旨を通知してもよい。
【００３０】
本発明の第１の特徴において、前記第１移動局のグループＩＤが、前記第１無線制御装置によって前記第３セルにおいて通信を許容しない移動局のグループＩＤとして管理されていると判定された場合、該第１無線制御装置が、前記第１移動局から受信した前記第３無線リンクの設定要求廃棄してもよい。
【００３１】
本発明の第２の特徴は、特定セルに在圏する移動局に対する呼受付制御方法で用いられる無線制御装置であって、前記無線制御装置配下のセル毎に、通信を許容する移動局のグループＩＤを管理するように構成されている通信許容グループリスト管理部と、コアネットワークから、前記無線制御装置配下の第１セルに在圏する第１移動局に対する呼設定指示を受信するように構成されている呼設定指示受信部と、前記呼設定指示に含まれる前記第１移動局のグループＩＤが、前記通信許容グループリスト管理部によって前記第１セルにおいて通信を許容する移動局のグループＩＤとして管理されていると判定された場合、該無線制御装置と該第１セルを管理する第１無線基地局との間のアクセスリンクを設定し、該第１セルにおいて該第１無線基地局と該第１移動局との間の第１無線リンクを設定するように構成されているリンク設定部とを具備することを要旨とする。
【００３２】
本発明の第２の特徴において、前記第１移動局が、前記無線制御装置に対して、該無線制御装置配下の第２セルにおいて該第１無線基地局と該第１移動局との間の第２無線リンクを設定するように要求した場合で、かつ、前記第１移動局のグループＩＤが、前記通信許容グループリスト管理部によって前記第２セルにおいて通信を許容する移動局のグループＩＤとして管理されていると判定された場合、前記リンク設定部は、前記第２無線リンクを追加するように構成されていてもよい。
【００３３】
本発明の第２の特徴において、他の無線制御装置配下のセル毎に、通信を許容しない移動局のグループＩＤを管理するように構成されている通信非許容グループリスト管理部と、前記第１移動局が、前記無線制御装置に対して、前記他の無線制御装置配下の第３セルにおいて第２無線基地局と該第１移動局との間の第３無線リンクを設定するように要求した場合に、前記他の無線制御装置に対して、前記第１移動局のグループＩＤを通知するように構成されている通知部とを具備してもよい。
【００３４】
本発明の第２の特徴において、前記通信非許容グループリスト管理部は、前記通信を許容しない移動局のグループＩＤの中から、管理を開始してから所定時間が経過したグループＩＤを消去するように構成されていてもよい。
【発明の効果】
【００３５】
以上説明したように、本発明によれば、セル毎に、特定の移動局に対して通信を許容するか否かについて判定する移動通信システムにおいて、保守性の向上及び管理コストの低減を実現することができる呼受付制御方法及び無線制御装置を提供することができる。
【発明を実施するための最良の形態】
【００３６】
（本発明の第１の実施形態に係る移動通信システム）
図１乃至図７を参照して、本発明の第１の実施形態に係る移動通信システムの構成について説明する。
【００３７】
本実施形態に係る移動通信システムは、特定セルに在圏する移動局に対する呼受付制御を行うように構成されている。具体的には、本実施形態に係る移動通信システムは、特定セルに在圏する移動局に対する通信開始時（呼設定指示の受信時）における呼受付制御だけでなく、通信開始後の移動制御時における呼受付制御も行うように構成されている。
【００３８】
図１に示すように、本実施形態に係る移動通信システムは、図１４に示す移動通信システムと同様に、無線基地局０１〜０３と、無線制御装置０１、０２と、交換局０１とによって構成されている。
【００３９】
ここで、図１の例では、無線制御装置０１（第１無線制御装置）が、移動局０１に対する無線制御を行う呼制御無線制御装置（Ｓｅｒｖｉｎｇ-ＲＮＣ）であり、無線制御装置０２（第２無線制御装置）は、呼制御無線制御装置ではなく、移動局０１（第１移動局）が在圏している在圏無線制御装置（Ｄｒｉｆｔ-ＲＮＣ）である。
【００４０】
なお、本明細書では、無線制御装置の機能が、無線アクセスネットワークに属するＲＮＣに設けられている場合の例について説明するが、かかる無線制御装置の機能は、無線アクセスネットワークやコアネットワークに属する別の装置に設けられていてもよいし、ＬＴＥ（Ｌｏｎｇ  Ｔｅｒｍ  Ｅｖｏｌｕｔｉｏｎ）方式等のシステムにおいて、無線基地局等の装置に設けられていてもよい。
【００４１】
図２に示すように、本実施形態に係る無線制御装置０１（Ｓｅｒｖｉｎｇ-ＲＮＣ）は、移動局グループＩＤ管理部１１と、自局セル単位通信許容グループＩＤリスト管理部１２と、他局セル単位通信非許容グループＩＤリスト管理部１３と、グループＩＤ読出部１４と、グループＩＤ登録・削除部１５と、グループＩＤ保持タイマ管理部１５Ａと、グループＩＤ判定部１６と、信号解析部１７と、ＲＡＮＡＰ信号送受信部１８と、ＲＲＣ信号送受信部１９と、ＮＢＡＰ信号送受信部２０と、ＲＮＳＡＰ信号送受信部２１とを具備している。
【００４２】
信号解析部１７は、ＲＡＮＡＰ信号送受信部１８により受信されたＲＡＮＡＰ信号や、ＲＲＣ信号送受信部１９により受信されたＲＲＣ信号や、ＮＢＡＰ信号送受信部２０により受信されたＮＢＡＰ信号や、ＲＮＳＡＰ信号送受信部２１により受信されたＲＮＳＡＰ（Ｒａｄｉｏ  Ｎｅｔｗｏｒｋ  Ｓｕｂｓｙｓｔｅｍ  Ａｐｐｌｉｃａｔｉｏｎ  Ｐａｒｔ）信号について解析するように構成されている。
【００４３】
また、信号解析部１７は、かかる解析結果について、グループＩＤ読出部１４や、グループＩＤ登録・削除部１５や、グループＩＤ判定部１６や、ＲＡＮＡＰ信号送受信部１８や、ＲＲＣ信号送受信部１９や、ＮＢＡＰ信号送受信部２０や、ＲＮＳＡＰ信号送受信部２１に通知するように構成されている。
【００４４】
例えば、信号解析部１７は、ＲＡＮＡＰ信号送受信部１８により受信されたＲＡＮＡＰ信号上で、「ＲＡＢ  Ａｓｓｉｇｎｍｅｎｔ  Ｒｅｑｕｅｓｔメッセージ（呼設定指示）」を検出した場合には、グループＩＤ登録・削除部１５に対して、当該呼設定指示に含まれる移動局０１のグループＩＤを、移動局グループＩＤ管理部１１に登録するように指示する。
【００４５】
信号解析部１７は、グループＩＤ判定部１６に対して、当該呼設定指示に含まれる移動局０１のグループＩＤが、自局セル単位通信許容グループＩＤリスト管理部１２によって当該呼設定指示に係るセル０１（第１セル）において通信を許容する移動局のグループＩＤ（セル０１の通信許容グループＩＤリスト）として管理されているか否かについて判定するように指示する。
【００４６】
ここで、信号解析部１７は、グループＩＤ判定部１６によって当該判定結果が肯定的（ＹＥＳ）であると通知された場合、ＲＲＣ信号送受信部１９及びＮＢＡＰ信号送受信部２０に対して、セル０１を管理する無線基地局０１と無線制御装置０１との間のアクセスリンクを設定し、セル０１において無線基地局０１と移動局０１との間の第１無線リンクを設定するように指示する。
【００４７】
また、移動局０１が、無線制御装置０１に対して、ＲＲＣ信号上の「Ｍｅａｓｕｒｅｍｅｎｔ  Ｒｅｐｏｒｔメッセージ」によって、無線制御装置０１配下のセル０２（第２セル）において無線基地局０１と移動局０１との間の第２無線リンクを設定（追加）するように要求した場合には、信号解析部１７は、グループＩＤ判定部１６に対して、移動局グループＩＤ管理部１１によって管理されている当該移動局０１のグループＩＤが、自局セル単位通信許容グループＩＤリスト管理部１２によってセル０２において通信を許容する移動局のグループＩＤ（セル０２の通信許容グループＩＤリスト）として管理されているか否かについて判定するように指示する。
【００４８】
ここで、信号解析部１７は、グループＩＤ判定部１６によって当該判定結果が肯定的（ＹＥＳ）であると通知された場合、ＲＲＣ信号送受信部１９及びＮＢＡＰ信号送受信部２０に対して、セル０２において無線基地局０１と移動局０１との間の第２無線リンクを設定（追加）するように指示する。
【００４９】
また、移動局０１が、無線制御装置０１に対して、ＲＲＣ信号上の「Ｍｅａｓｕｒｅｍｅｎｔ  Ｒｅｐｏｒｔメッセージ」によって、第２無線制御装置０２配下のセル０３（第３セル）において無線基地局０２と移動局０１との間の第３無線リンクを設定（追加）するように要求した場合には、信号解析部１７は、グループＩＤ判定部１６に対して、移動局グループＩＤ管理部１１によって管理されている当該移動局０１のグループＩＤが、他局セル単位通信非許容グループＩＤリスト管理部１３によってセル０３において通信を許容しない移動局のグループＩＤ（セル０３の通信非許容グループＩＤリスト）として管理されているか否かについて判定するように指示する。
【００５０】
ここで、信号解析部１７は、グループＩＤ判定部１６によって当該判定結果が否定的（ＮＯ）であると通知された場合、ＲＮＳＡＰ信号送受信部１８に対して、当該移動局０１のグループＩＤを無線制御装置０２（第２無線制御装置）に通知するように指示する。
【００５１】
すなわち、かかる場合、第１無線制御装置０１は、かかる第３無線リンクを設定可能であるか否かについて判定できないため、第２無線制御装置０２に対して、ＲＮＳＡＰ信号上で、当該移動局０１のグループＩＤを含む「Ｒａｄｉｏ  Ｌｉｎｋ  Ｓｅｔｕｐ  Ｒｅｑｕｅｓｔメッセージ」を送信することによって、かかるグループＩＤが、セル０３において通信を許容する移動局のグループＩＤ（セル０３の通信許容グループＩＤリスト）として管理されているか否かについて判定するように要求する。
【００５２】
また、信号解析部１７は、ＲＮＳＡＰ信号送受信部１８によって受信されたＲＮＳＡＰ信号上で、「Ｒａｄｉｏ  Ｌｉｎｋ  Ｓｅｔｕｐ  Ｆａｉｌｕｒｅメッセージ（グループＩＤ判定ＮＧ）」を検出した場合、グループＩＤ登録・削除部１５に対して、他局セル単位通信非許容グループＩＤリスト管理部１３における当該メッセージに係るセルにおける通信非許容グループＩＤリストに、当該メッセージに係る移動局のグループＩＤを登録するように指示する。
【００５３】
移動局グループＩＤ情報管理部１１は、上述の呼設定指示に含まれる移動局のグループＩＤを管理するように構成されている。
【００５４】
自局セル単位通信許容グループＩＤリスト管理部１２は、当該無線制御装置０１配下のセル０１、０２毎に、通信を許容する移動局のグループＩＤ（通信許容グループＩＤリスト）を管理するように構成されている。
【００５５】
図３に、かかる自局セル単位通信許容グループＩＤリスト管理部１２によって管理されているセル毎のグループＩＤ（セル毎の通信許容グループＩＤリスト）の一例を示す。
【００５６】
他局セル単位通信非許容グループＩＤリスト管理部１３は、他の無線制御装置（例えば、無線制御装置０２）配下のセル（例えば、セル０３乃至０６）毎に、通信を許容しない移動局のグループＩＤ（通信非許容グループＩＤリスト）を管理するように構成されている。
【００５７】
図４及び図５に、かかる他局セル単位通信非許容グループＩＤリスト管理部１３によって管理されているセル毎のグループＩＤ（セル毎の通信非許容グループＩＤリスト）の一例を示す。
【００５８】
グループＩＤ読出部１４は、信号解析部１７からの指示に応じて、移動局グループＩＤ情報管理部１１、自局セル単位通信許容グループＩＤリスト管理部１２或いは他局セル単位通信非許容グループＩＤリスト管理部１３から、所定のグループＩＤ（或いは、グループＩＤリスト）を読み出すように構成されている。
【００５９】
グループＩＤ登録・削除部１５は、信号解析部１７からの指示に応じて、移動局グループＩＤ情報管理部１１及び他局セル単位通信非許容グループＩＤリスト管理部１３に、所定のグループＩＤ（或いは、グループＩＤリスト）を登録するように構成されている。
【００６０】
なお、グループＩＤ登録・削除部１５は、他局セル単位通信非許容グループＩＤリスト管理部１３において、各セルにおける上述の通信を許容しない移動局のグループＩＤ（各セルの通信非許容グループＩＤリスト）の中から、管理を開始してから所定時間が経過したグループＩＤ（後述するグループＩＤ保持タイマが満了したグループＩＤ）を消去するように構成されている。
【００６１】
具体的には、グループＩＤ登録・削除部１５は、グループＩＤ保持タイマ管理部１５Ａによって管理されている通信非許容グループＩＤリスト内の各グループＩＤ用のグループＩＤ保持タイマが満了した場合、かかるグループＩＤを削除するように構成されている。
【００６２】
グループＩＤ判定部１６は、グループＩＤ読出部１４によって読み出されたグループＩＤ（或いは、グループＩＤリスト）を参照して、上述の判定を行うように構成されている。
【００６３】
図６に示すように、本実施形態に係る無線制御装置０２（Ｄｒｉｆｔ-ＲＮＣ）は、自局セル単位通信許容グループＩＤリスト管理部２２と、グループＩＤ読出部２４と、グループＩＤ判定部２６と、信号解析部２７と、ＲＮＳＡＰ信号送受信部２８と、ＮＢＡＰ信号送受信部２９とを具備している。
【００６４】
信号解析部２７は、ＲＮＳＡＰ信号送受信部２８により受信されたＲＮＳＡＰ信号や、ＮＢＡＰ信号送受信部２９により受信されたＮＢＡＰ信号について解析するように構成されている。
【００６５】
また、信号解析部２７は、かかる解析結果について、グループＩＤ読出部２４や、グループＩＤ判定部２６や、ＮＢＡＰ信号送受信部２９や、ＲＮＳＡＰ信号送受信部２８に通知するように構成されている。
【００６６】
例えば、信号解析部２７は、ＲＮＳＡＰ信号送受信部２８によって受信されたＲＮＳＡＰ信号上で、「Ｒａｄｉｏ  Ｌｉｎｋ  Ｓｅｔｕｐ  Ｒｅｑｕｅｓｔメッセージ（グループＩＤ）」を検出した場合、グループＩＤ判定部２６に対して、当該メッセージに含まれる移動局０１のグループＩＤが、自局セル単位通信許容グループＩＤリスト管理部２２によって当該メッセージに係るセル０３（第３セル）において通信を許容する移動局のグループＩＤ（セル０３の通信許容グループＩＤリスト）として管理されているか否かについて判定するように指示する。
【００６７】
ここで、信号解析部２７は、グループＩＤ判定部２６によって当該判定結果が肯定的（ＹＥＳ）であると通知された場合、ＮＢＡＰ信号送受信部２９に対して、セル０３において無線基地局０２と移動局０１との間の第３無線リンクを設定するように指示する。
【００６８】
なお、信号解析部２７は、セル０３において無線基地局０２と移動局０１との間の第３無線リンクの設定に失敗した場合、その旨を、ＲＮＳＡＰ信号送受信部２８に通知し、ＲＮＳＡＰ信号送受信部２８は、ＲＮＳＡＰ信号上の「Ｒａｄｉｏ  Ｌｉｎｋ  Ｓｅｔｕｐ  Ｆａｉｌｕｒｅメッセージ」によって、無線制御装置０１（Ｓｅｒｖｉｎｇ-ＲＮＣ）に対して、その旨を通知する。
【００６９】
自局セル単位通信許容グループＩＤリスト管理部２２は、当該無線制御装置０２配下のセル０３乃至０６毎に、通信を許容する移動局のグループＩＤ（通信許容グループＩＤリスト）を管理するように構成されている。
【００７０】
図７に、かかる自局セル単位通信許容グループＩＤリスト管理部２２によって管理されているセル毎のグループＩＤ（セル毎の通信許容グループＩＤリスト）の一例を示す。
【００７１】
グループＩＤ読出部２４は、信号解析部２７からの指示に応じて、自局セル単位通信許容グループＩＤリスト管理部２２から、所定のグループＩＤ（或いは、グループＩＤリスト）を読み出すように構成されている。
【００７２】
グループＩＤ判定部２６は、グループＩＤ読出部２４によって読み出されたグループＩＤ（或いは、グループＩＤリスト）を参照して、上述の判定を行うように構成されている。
【００７３】
（本発明の第１の実施形態に係る移動通信システムの動作）
以下、図８乃至図１３を参照して、本実施形態に係る移動通信システムの動作について説明する。
【００７４】
第１に、図８を参照して、本実施形態に係る移動通信システムにおいて、無線制御装置０１と移動局０１との間の無線アクセスベアラとして、無線制御装置０１とセル０１を管理する無線基地局０１との間のアクセスリンクと、セル０１において無線基地局０１と移動局０１との間の第１無線リンクが設定される場合の動作について説明する。
【００７５】
図８に示すように、ステップＳ１０１において、コアネットワークに属する交換機０１が、無線制御装置０１に対して、ＲＡＮＡＰ信号上で、セル０１に在圏する移動局０１宛ての「ＲＡＢ  Ａｓｓｉｇｎｍｅｎｔ  Ｒｅｑｕｅｓｔメッセージ（呼設定指示）」を送信する。ここで、かかる呼設定指示には、移動局０１のグループＩＤ（Ａ）が含まれている。
【００７６】
ステップＳ１０２において、無線制御装置０１の信号解析部１７が、かかる呼設定指示内に移動局０１のグループＩＤが含まれているか否かについて判定する。かかる判定結果が肯定的（ＹＥＳ）である場合、本動作は、ステップＳ１０３に進み、かかる判定結果が否定的（ＮＯ）である場合、本動作は、ステップＳ１０５に進む。
【００７７】
ステップＳ１０３において、無線制御装置０１のグループＩＤ登録・削除部１５が、信号解析部１７からの指示に応じて、移動局グループＩＤ管理部１１に、当該移動局０１のグループＩＤ（Ａ）を関連付けて登録する。
【００７８】
ステップＳ１０４において、無線制御装置０１のグループＩＤ判定部１６が、信号解析部１７からの指示に応じて、自局セル単位通信許容グループＩＤリスト管理部１２によって管理されているセル０１の通信許容グループＩＤリスト内に、当該グループＩＤ（Ａ）が存在するか否かについて判定する。かかる判定結果が肯定的（ＹＥＳ）である場合、本動作は、ステップＳ１０５に進み、かかる判定結果が否定的（ＮＯ）である場合、本動作は、ステップＳ１１１に進む。
【００７９】
ステップＳ１０５において、無線制御装置０１のＮＢＡＰ信号送受信部２０が、信号解析部１７からの指示に応じて、無線基地局０１に対して、ＮＢＡＰ信号上で「Ｒａｄｉｏ  Ｌｉｎｋ  Ｓｅｔｕｐ  Ｒｅｑｕｅｓｔメッセージ」を送信する。
【００８０】
無線基地局０１は、ステップＳ１０６において、受信した「Ｒａｄｉｏ  Ｌｉｎｋ  Ｓｅｔｕｐ  Ｒｅｑｕｅｓｔメッセージ」に応じて、セル０１を介して移動局０１に対してユーザデータを送信するための第１無線リンクを設定し、セル０１を管理する無線基地局０１と無線制御装置０１との間のアクセスリンクを設定し、ステップＳ１０７において、無線制御装置０１に対して、ＮＢＡＰ信号上で「Ｒａｄｉｏ  Ｌｉｎｋ  Ｓｅｔｕｐ  Ｒｅｓｐｏｎｓｅメッセージ」を送信する。
【００８１】
ステップＳ１０８において、無線制御装置０１のＲＲＣ信号送受信部１９が、信号解析部１７からの指示に応じて、移動局０１に対して、ＲＲＣ信号上で「Ｒａｄｉｏ  Ｂｅａｒｅｒ  Ｓｅｔｕｐメッセージ」を送信する。
【００８２】
移動局０１は、ステップＳ１０９において、受信した「Ｒａｄｉｏ  Ｂｅａｒｅｒ  Ｓｅｔｕｐメッセージ」に応じて、セル０１を介して無線基地局０１からのユーザデータを受信するための第１の無線リンクを設定し、無線制御装置０１との間の無線アクセスベアラを設定し、ステップＳ１１０において、無線制御装置０１に対して、ＲＲＣ信号上で「Ｒａｄｉｏ  Ｂｅａｒｅｒ  Ｓｅｔｕｐ  Ｃｏｍｐｌｅｔｅメッセージ」を送信する。
【００８３】
ステップＳ１１１において、無線制御装置０１の信号解析部１７が、上述の呼設定指示に基づく呼設定処理（上述のアクセスリンク、第１無線リンク、無線アクセスベアラの設定処理）が完了したか否かついて判定し、ステップＳ１１２において、無線制御装置０１のＲＡＮＡＰ信号送受信部１８が、信号解析部１７からの指示に応じて、交換局０１に対して、ＲＡＮＡＰ信号上で「ＲＡＢ  Ａｓｓｉｇｎｍｅｎｔ  Ｒｅｑｕｅｓｔメッセージ（呼設定結果通知）」を送信することによって、かかる判定結果（受付許可或いは受付拒否）を通知する。
【００８４】
第２に、図９を参照して、本実施形態に係る移動通信システムにおいて、セル０２において移動局０１と無線基地局０２との間の第２無線リンクが設定（追加）される場合の動作について説明する。
【００８５】
図９に示すように、ステップＳ２０１において、移動局０１と無線制御装置０１とが、上述の第１無線リンク及びアクセスリンクを介して通信を行っている場合に、ステップＳ２０２において、移動局０１が、無線制御装置０１に対して、ＲＲＣ信号上で「Ｍｅａｓｕｒｅｍｅｎｔ  Ｒｅｐｏｒｔメッセージ（セル０２における無線基地局０１との間の第２無線リンクの追加要求）」を送信する。
【００８６】
ステップＳ２０３において、無線制御装置０１のグループＩＤ読出部１４が、信号解析部１７からの指示に応じて、受信した「Ｍｅａｓｕｒｅｍｅｎｔ  Ｒｅｐｏｒｔメッセージ」の送信元の移動局０１のグループＩＤ（Ａ）を、移動局グループＩＤ管理部１１から抽出する。
【００８７】
ステップＳ２０４において、無線制御装置０１のグループＩＤ判定部１６が、信号解析部１７からの指示に応じて、自局セル単位通信許容グループＩＤリスト管理部１２によって管理されているセル０２の通信許容グループＩＤリスト内に、当該グループＩＤ（Ａ）が存在するか否かについて判定する。かかる判定結果が肯定的（ＹＥＳ）である場合、本動作は、ステップＳ２０５に進み、かかる判定結果が否定的（ＮＯ）である場合、本動作は、終了する。
【００８８】
ステップＳ２０５において、無線制御装置０１のＮＢＡＰ信号送受信部２０が、信号解析部１７からの指示に応じて、無線基地局０１に対して、ＮＢＡＰ信号上で「Ｒａｄｉｏ  Ｌｉｎｋ  Ｓｅｔｕｐ  Ｒｅｑｕｅｓｔメッセージ」を送信する。
【００８９】
無線基地局０１は、ステップＳ２０６において、受信した「Ｒａｄｉｏ  Ｌｉｎｋ  Ｓｅｔｕｐ  Ｒｅｑｕｅｓｔメッセージ」に応じて、セル０２を介して移動局０１に対してユーザデータを送信するための第２無線リンクを設定（追加）し、ステップＳ２０７において、無線制御装置０１に対して、ＮＢＡＰ信号上で「Ｒａｄｉｏ  Ｌｉｎｋ  Ｓｅｔｕｐ  Ｒｅｓｐｏｎｓｅメッセージ」を送信する。
【００９０】
ステップＳ２０８において、無線制御装置０１のＲＲＣ信号送受信部１９が、信号解析部１７からの指示に応じて、移動局０１に対して、ＲＲＣ信号上で「Ａｃｔｉｖｅ  Ｓｅｔ  Ｕｐｄａｔｅメッセージ」を送信する。
【００９１】
移動局０１は、ステップＳ２０９において、受信した「Ａｃｔｉｖｅ  Ｓｅｔ  Ｕｐｄａｔｅメッセージ」に応じて、セル０２を介して無線基地局０１からのユーザデータを受信するための第２無線リンクを設定し、ステップＳ２１０において、無線制御装置０１に対して、ＲＲＣ信号上で「Ａｃｔｉｖｅ  Ｓｅｔ  Ｕｐｄａｔｅ  Ｃｏｍｐｌｅｔｅメッセージ」を送信する。
【００９２】
第３に、図１０を参照して、本実施形態に係る移動通信システムにおいて、セル０３において移動局０１と無線基地局０２との間の第３無線リンクが設定（追加）される場合の動作（その１）について説明する。
【００９３】
図１０に示すように、ステップＳ３０１において、移動局０１と無線制御装置０１とが、上述のアクセスリンク、第１無線リンク及び第２無線リンクを介して通信を行っている場合に、ステップＳ３０２において、移動局０１が、無線制御装置０１に対して、ＲＲＣ信号上で「Ｍｅａｓｕｒｅｍｅｎｔ  Ｒｅｐｏｒｔメッセージ（セル０３において無線基地局０２との間の第３無線リンクの追加要求）」を送信する。
【００９４】
ステップＳ３０３において、無線制御装置０１のグループＩＤ読出部１４が、信号解析部１７からの指示に応じて、受信した「Ｍｅａｓｕｒｅｍｅｎｔ  Ｒｅｐｏｒｔメッセージ」の送信元の移動局０１のグループＩＤ（Ａ）を、移動局グループＩＤ管理部１１から抽出する。
【００９５】
ステップＳ３０４において、無線制御装置０１のＲＮＳＡＰ信号送受信部２１が、無線制御装置０２に対して、ＲＮＳＡＰ信号上で「Ｒａｄｉｏ  Ｌｉｎｋ  Ｓｅｔｕｐ  Ｒｅｑｕｅｓｔメッセージ」を送信することによって、抽出したグループＩＤ（Ａ）を通知する。
【００９６】
ステップＳ３０５において、無線制御装置０２のグループＩＤ判定部２６が、信号解析部２７からの指示に応じて、自局セル単位通信許容グループＩＤリスト管理部２２によって管理されているセル０３の通信許容グループＩＤリスト内に、当該グループＩＤ（Ａ）が存在するか否かについて判定する。かかる判定結果が肯定的（ＹＥＳ）である場合、本動作は、ステップＳ３０６に進み、かかる判定結果が否定的（ＮＯ）である場合、本動作は、ステップＳ３１３に進む。
【００９７】
ステップＳ３０６において、無線制御装置０２のＮＢＡＰ信号送受信部２９が、信号解析部２７からの指示に応じて、無線基地局０２に対して、ＮＢＡＰ信号上で「Ｒａｄｉｏ  Ｌｉｎｋ  Ｓｅｔｕｐ  Ｒｅｑｕｅｓｔメッセージ」を送信する。
【００９８】
無線基地局０２は、ステップＳ３０７において、受信した「Ｒａｄｉｏ  Ｌｉｎｋ  Ｓｅｔｕｐ  Ｒｅｑｕｅｓｔメッセージ」に応じて、セル０３を介して移動局０１に対してユーザデータを送信するための第３無線リンクを設定し、ステップＳ３０８において、無線制御装置０２に対して、ＮＢＡＰ信号上で「Ｒａｄｉｏ  Ｌｉｎｋ  Ｓｅｔｕｐ  Ｒｅｓｐｏｎｓｅメッセージ」を送信する。
【００９９】
ステップＳ３０９において、無線制御装置０２のＲＮＳＡＰ信号送受信部２８が、無線制御装置０１に対して、ＲＮＳＡＰ信号上で「Ｒａｄｉｏ  Ｌｉｎｋ  Ｓｅｔｕｐ  Ｒｅｓｐｏｎｓｅメッセージ」を送信する。
【０１００】
ステップＳ３１０において、無線制御装置０１のＲＲＣ信号送受信部１９が、信号解析部１７からの指示に応じて、移動局０１に対して、ＲＲＣ信号上で「Ａｃｔｉｖｅ  Ｓｅｔ  Ｕｐｄａｔｅメッセージ」を送信する。
【０１０１】
移動局０１は、ステップＳ３１１において、受信した「Ａｃｔｉｖｅ  Ｓｅｔ  Ｕｐｄａｔｅメッセージ」に応じて、セル０３を介して無線基地局０２からのユーザデータを受信するための第３無線リンクを設定し、ステップＳ３１２において、無線制御装置０１に対して、ＲＲＣ信号上で「Ａｃｔｉｖｅ  Ｓｅｔ  Ｕｐｄａｔｅ  Ｃｏｍｐｌｅｔｅメッセージ」を送信する。
【０１０２】
なお、ステップＳ３１３では、無線制御装置０２のＲＮＳＡＰ信号送受信部２８が、無線制御装置０１に対して、ＲＮＳＡＰ信号上で「Ｒａｄｉｏ  Ｌｉｎｋ  Ｓｅｔｕｐ  Ｆａｉｌｕｒｅメッセージ」を送信することによって、セル０３においてグループＩＤ（Ａ）に属する移動局０１に対する通信が許可されていないことを通知する。
【０１０３】
第４に、図１１を参照して、本実施形態に係る移動通信システムにおいて、セル０３において移動局０１と無線基地局０２との間の第３無線リンクが設定（追加）される場合の動作（その２）について説明する。
【０１０４】
図１１に示すように、ステップＳ４０１において、移動局０１と無線制御装置０１とが、上述のアクセスリンク及び第２無線リンクを介して通信を行っている場合に、移動局０１が、無線制御装置０１に対して、ＲＲＣ信号上で「Ｍｅａｓｕｒｅｍｅｎｔ  Ｒｅｐｏｒｔメッセージ（セル０３において無線基地局０２との間の第３無線リンクの追加要求）」を送信する。
【０１０５】
ステップＳ４０２において、無線制御装置０１のグループＩＤ読出部１４が、信号解析部１７からの指示に応じて、受信した「Ｍｅａｓｕｒｅｍｅｎｔ  Ｒｅｐｏｒｔメッセージ」の送信元の移動局０１のグループＩＤ（Ａ）を、移動局グループＩＤ管理部１１から抽出する。
【０１０６】
ステップＳ４０３において、無線制御装置０１のグループＩＤ判定部１６が、信号解析部１７からの指示に応じて、他局セル単位通信非許容グループＩＤリスト管理部１３によって管理されているセル０３の通信非許容グループＩＤリスト内に、当該グループＩＤ（Ａ）が存在するか否かについて判定する。かかる判定結果が肯定的（ＹＥＳ）である場合、本動作は、終了し、かかる判定結果が否定的（ＮＯ）である場合、本動作は、ステップＳ４０４に進む。
【０１０７】
ステップＳ４０４において、無線制御装置０１のＲＮＳＡＰ信号送受信部２１が、無線制御装置０２に対して、ＲＮＳＡＰ信号上で「Ｒａｄｉｏ  Ｌｉｎｋ  Ｓｅｔｕｐ  Ｒｅｑｕｅｓｔメッセージ」を送信することによって、抽出したグループＩＤ（Ａ）を通知する。
【０１０８】
ステップＳ４０５において、無線制御装置０２のグループＩＤ判定部２６が、信号解析部２７からの指示に応じて、自局セル単位通信許容グループＩＤリスト管理部２２によって管理されているセル０３の通信許容グループＩＤリスト内に、当該グループＩＤ（Ａ）が存在するか否かについて判定する。かかる判定結果が肯定的（ＹＥＳ）である場合、本動作は、ステップＳ４０６に進み、かかる判定結果が否定的（ＮＯ）である場合、本動作は、ステップＳ４０７に進む。
【０１０９】
ステップＳ４０６では、図１０に示すステップＳ３０６乃至Ｓ３１０と同一の動作を行う。
【０１１０】
ステップＳ４０７において、無線制御装置０２のＲＮＳＡＰ信号送受信部２８が、無線制御装置０１に対して、ＲＮＳＡＰ信号上で「Ｒａｄｉｏ  Ｌｉｎｋ  Ｓｅｔｕｐ  Ｆａｉｌｕｒｅメッセージ」を送信することによって、セル０３においてグループＩＤ（Ａ）に属する移動局０１に対する通信が許可されていないことを通知する。
【０１１１】
ステップＳ４０８において、無線制御装置０１のグループＩＤ登録・削除部１５が、信号解析部１７からの指示に応じて、他局セル単位通信非許容グループＩＤリスト管理部１３におけるセル０３の通信非許容グループＩＤリストに、グループＩＤ（Ａ）を追加する。
【０１１２】
第５に、図１２及び図１３を参照して、本実施形態に係る移動通信システムにおいて、無線制御装置０２配下のセル０５において無線基地局０３と移動局０１との間の第３無線リンクが設定（追加）される場合の動作について説明する。ここで、移動局０１は、「グループＩＤ＝Ｃ」のグループに属しているものとする。
【０１１３】
図１２に示すように、ステップＳ５０１において、無線制御装置０１の信号解析部１７が、ＲＲＣ信号送受信部１９によって受信されたＲＲＣ信号上で、グループＩＤ（Ｃ）の移動局０１から送信された「セル０５において無線基地局０３との間の第３無線リンクの追加要求（Ｍｅａｓｕｒｅｍｅｎｔ  Ｒｅｐｏｒｔメッセージ）」を検出する。
【０１１４】
ここで、無線制御装置０１の他局セル単位通信非許容グループＩＤリスト管理部１３では、図４に示す通信非許容グループＩＤリストを管理しているものとする。
【０１１５】
ステップＳ５０２において、無線制御装置０１のグループＩＤ判定部１６が、信号解析部１７からの指示に応じて、他局セル単位通信非許容グループＩＤリスト管理部１３によって管理されているセル０５の通信非許容グループＩＤリスト内に、当該グループＩＤ（Ｃ）が存在しないと判定する。
【０１１６】
ステップＳ５０３において、無線制御装置０１のＲＮＳＡＰ信号送受信部２１が、無線制御装置０２に対して、ＲＮＳＡＰ信号上で「Ｒａｄｉｏ  Ｌｉｎｋ  Ｓｅｔｕｐ  Ｒｅｑｕｅｓｔメッセージ」を送信することによって、抽出したグループＩＤ（Ｃ）及び第３無線リンクに係るセル０５について通知する。
【０１１７】
ステップＳ５０４において、無線制御装置０１のグループＩＤ判定部２６が、信号解析部２７からの指示に応じて、自局セル単位通信許容グループＩＤリスト管理部２２によって管理されているセル０５の通信許容グループＩＤリスト内に、当該グループＩＤ（Ｃ）が存在しないと判定する。
【０１１８】
ここで、無線制御装置０２の自局セル単位通信許容グループＩＤリスト管理部２２では、図７に示す通信非許容グループＩＤリストを管理しているものとする。
【０１１９】
ステップＳ５０５において、無線制御装置０２のＲＮＳＡＰ信号送受信部２８が、無線制御装置０１に対して、ＲＮＳＡＰ信号上で「Ｒａｄｉｏ  Ｌｉｎｋ  Ｓｅｔｕｐ  Ｆａｉｌｕｒｅメッセージ」を送信することによって、セル０５においてグループＩＤ（Ｃ）に属する移動局群（移動局０１を含む）に対する通信が許可されていないことを通知する。
【０１２０】
ステップＳ５０６Ｂにおいて、無線制御装置０１のグループＩＤ登録・削除部１５が、信号解析部１７からの指示に応じて、他局セル単位通信非許容グループＩＤリスト管理部１３におけるセル０５の通信非許容グループＩＤリストに、グループＩＤ（Ｃ）を追加する。その結果、無線制御装置０１の他局セル単位通信非許容グループＩＤリスト管理部１３では、図５に示す通信非許容グループＩＤリストが管理されることになる。
【０１２１】
その後、ステップＳ５０７において、無線制御装置０１の信号解析部１７が、ＲＲＣ信号送受信部１９によって受信されたＲＲＣ信号上で、グループＩＤ（Ｃ）の移動局群に含まれる移動局（移動局０１であってもよいし、移動局０１以外の移動局であってもよい）から送信された「セル０５における無線基地局０３との間の第３無線リンクの追加要求（Ｍｅａｓｕｒｅｍｅｎｔ  Ｒｅｐｏｒｔメッセージ）」を検出する。
【０１２２】
ステップＳ５０８において、無線制御装置０１のグループＩＤ判定部１６が、信号解析部１７からの指示に応じて、他局セル単位通信非許容グループＩＤリスト管理部１３によって管理されているセル０５の通信非許容グループＩＤリスト内に、当該グループＩＤ（Ｃ）が存在すると判定する。
【０１２３】
このように、ステップＳ５０６Ｂにおいて更新された通信非許容グループＩＤリストは、移動局０１によって参照されるだけでなく、他の移動局によっても参照される。
【０１２４】
その結果、無線制御装置０１のＲＮＳＡＰ信号送受信部２１が、無線制御装置０２に対して、ＲＮＳＡＰ信号上で「Ｒａｄｉｏ  Ｌｉｎｋ  Ｓｅｔｕｐ  Ｒｅｑｕｅｓｔメッセージ」を送信することなく、無線制御装置０１の信号解析部１７は、かかるセル０５における無線基地局０３との間の第３無線リンクの追加要求を破棄する。
【０１２５】
しかしながら、無線制御装置０１の他局セル単位通信非許容グループＩＤリスト管理部１３において、図５に示す通信非許容グループＩＤリストが管理されている場合、ステップＳ５０６Ａにおいて、無線制御装置０２の自局セル単位通信許容グループＩＤリスト管理部２２によって管理されているセル０５の通信許容グループＩＤリストに、グループＩＤ（Ｃ）が登録されたとしても、無線制御装置０１のＲＮＳＡＰ信号送受信部２１が、無線制御装置０２に対して、ＲＮＳＡＰ信号上で「Ｒａｄｉｏ  Ｌｉｎｋ  Ｓｅｔｕｐ  Ｒｅｑｕｅｓｔメッセージ」を送信することができないため、無線制御装置０１は、セル０５に在圏するグループＩＤ（Ｃ）の移動局群に含まれる移動局との間で、第３無線リンクを確立することができないという問題点があった。
【０１２６】
そこで、無線制御装置０１は、図１３に示すように、他局セル単位通信非許容グループＩＤリスト管理部１３において管理される通信非許容グループＩＤリストを、一定周期で更新するように構成されている。
【０１２７】
具体的には、図１３に示すように、ステップＳ６０１において、無線制御装置０１のグループＩＤ登録・削除部１５が、他局セル単位通信非許容グループＩＤリスト管理部１３内のセル０５の通信非許容グループＩＤリストに、グループＩＤ（Ｃ）を登録する。
【０１２８】
ステップＳ６０２において、無線制御装置０１のグループＩＤ登録・削除部１５は、グループＩＤ保持タイマ管理部１５Ａによって管理されているグループＩＤ保持タイマ（登録された当該グループＩＤ（Ｃ）用）を起動する。
【０１２９】
無線制御装置０１のグループＩＤ登録・削除部１５は、ステップＳ６０２において、かかるグループＩＤ保持タイマ（登録された当該グループＩＤ（Ｃ）用）が満了したことを検出すると、ステップＳ６０４において、他局セル単位通信非許容グループＩＤリスト管理部１３において、セル０５の通信非許容グループＩＤリストの中から当該グループ（Ｃ）を消去する。
【０１３０】
（本発明の第１の実施形態に係る移動通信システムの作用・効果）
本実施形態に係る移動通信システムによれば、セル毎に、特定の移動局に対して通信を許容するか否かについて判定する移動通信システムにおいて、保守性の向上及び管理コストの低減を実現することができる。
【０１３１】
例えば、本実施形態に係る移動通信システムによれば、ある会社に、無線基地局０１を販売し、かかる会社に、グループＩＤ（Ａ）を割り当て、無線制御装置０１に対して、当該無線基地局０１によって構成されるセル０１においてグループＩＤ（Ａ）が割り当てられている移動局に対して通信を許容することを登録さえしておけば、その会社で保有する移動局（グループＩＤ（Ａ））が増えたり減ったりしても、無線制御装置０１における登録情報を書き換えずに済むという効果を奏することができる。
【０１３２】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図面の簡単な説明】
【０１３３】
【図１】本発明の第１の実施形態に係る移動通信システムの全体構成図である。
【図２】本発明の第１の実施形態に係る無線制御装置（呼制御無線制御装置）の機能ブロック図である。
【図３】本発明の第１の実施形態に係る無線制御装置（呼制御無線制御装置）の自局セル単位通信許容グループＩＤリスト管理部によって管理される通信許容グループＩＤリストの一例を示す図である。
【図４】本発明の第１の実施形態に係る無線制御装置（呼制御無線制御装置）の他局セル単位通信非許容グループＩＤリスト管理部によって管理される通信非許容グループＩＤリストの一例を示す図である。
【図５】本発明の第１の実施形態に係る無線制御装置（呼制御無線制御装置）の他局セル単位通信非許容グループＩＤリスト管理部によって管理される通信非許容グループＩＤリストの一例を示す図である。
【図６】本発明の第１の実施形態に係る無線制御装置（在圏無線制御装置）の機能ブロック図である。
【図７】本発明の第１の実施形態に係る無線制御装置（在圏制御無線制御装置）の自局セル単位通信許容グループＩＤリスト管理部によって管理される通信許容グループＩＤリストの一例を示す図である。
【図８】本発明の第１の実施形態に係る移動通信システムにおける呼設定手順を示すシーケンス図である。
【図９】本発明の第１の実施形態に係る移動通信システムにおける新規セル追加手順を示すシーケンス図である。
【図１０】本発明の第１の実施形態に係る移動通信システムにおける新規セル追加手順を示すシーケンス図である。
【図１１】本発明の第１の実施形態に係る移動通信システムにおける新規セル追加手順を示すシーケンス図である。
【図１２】本発明の第１の実施形態に係る移動通信システムにおける新規セル追加手順を示すシーケンス図である。
【図１３】本発明の第１の実施形態に係る移動通信システムにおける通信非許容グループＩＤリスト更新手順を示すシーケンス図である。
【図１４】一般的な移動通信システムの全体構成図である。
【図１５】従来の移動通信システムにおける呼設定手順を示すシーケンス図である。
【図１６】従来の移動通信システムにおける課金手順を示すシーケンス図である。
【図１７】従来の移動通信システムにおける課金手順を示すシーケンス図である。
【図１８】従来の移動通信システムにおける課金手順を示すシーケンス図である。
【図１９】従来の移動通信システムにおける課金手順を示すシーケンス図である。
【符号の説明】
【０１３４】
１１…移動局グループＩＤ管理部
１２、２２…自局セル単位通信許容グループＩＤリスト管理部
１３…他局セル単位通信非許容グループＩＤリスト管理部
１４、２４…グループＩＤ読出部
１５…グループＩＤ登録・削除部
１５Ａ…グループＩＤ保持タイマ管理部
１６、２６…グループＩＤ判定部
１７、２７…信号解析部
１８…ＲＡＮＡＰ信号送受信部
１９…ＲＲＣ信号送受信部
２０、２９…ＮＢＡＰ信号送受信部
２１、２８…ＲＮＳＡＰ信号送受信部
【図１】
0004989336.tif 000002
【図２】
0004989336.tif 000003
【図３】
0004989336.tif 000004
【図４】
0004989336.tif 000005
【図５】
0004989336.tif 000006
【図６】
0004989336.tif 000007
【図７】
0004989336.tif 000008
【図８】
0004989336.tif 000009
【図９】
0004989336.tif 000010
【図１０】
0004989336.tif 000011
【図１１】
0004989336.tif 000012
【図１２】
0004989336.tif 000013
【図１３】
0004989336.tif 000014
【図１４】
0004989336.tif 000015
【図１５】
0004989336.tif 000016
【図１６】
0004989336.tif 000017
【図１７】
0004989336.tif 000018
【図１８】
0004989336.tif 000019
【図１９】
0004989336.tif 000020